(57)【特許請求の範囲】
【請求項１】
ランド部と該ランド部間に設けられたグルーブ部とで形成されるトラックのそれぞれに情報が記録可能である光記録媒体の前記トラックへの照射光に基づいて前記光記録媒体の記録及び／又は再生を行う光記録媒体ドライブ装置において、
前記照射光の位置を検出する検出器と、該検出器が出力した位置検出信号をピークホールドして出力するピークホールド回路と、前記位置検出信号をボトムホールドして出力するボトムホールド回路と、前記ピークホールド回路及びボトムホールド回路の出力信号に基づく信号を切り換え出力する切換回路とを備え、該切換回路は、前記ピークホールド回路の出力信号に基づく信号の絶対値を出力する絶対値回路と、前記ボトムホールド回路の出力信号に基づく信号の絶対値を出力する絶対値回路と、該両絶対値回路が出力した各絶対値の大きさを比較し、大きい方を選択する比較回路とを備え、該比較回路が選択した方の信号を出力し、出力された該信号をトラッキングエラー信号とすべくなしてあることを特徴とする光記録媒体ドライブ装置。
【請求項２】
ランド部と該ランド部間に設けられたグルーブ部とで形成されるトラックのそれぞれに情報が記録可能である光記録媒体の前記トラックへの照射光に基づいて前記光記録媒体の記録及び／又は再生を行う光記録媒体ドライブ装置において、
前記照射光の位置を検出する為の検出信号を、トラックの半径方向に２分割する２分割検出器が出力した各検出信号をそれぞれピークホールドして出力する２つのピークホールド回路と、前記各検出信号をそれぞれボトムホールドして出力する２つのボトムホールド回路と、前記２つのピークホールド回路及び２つのボトムホールド回路の出力信号に基づく信号を切り換え出力する切換回路とを備え、該切換回路が出力した信号をトラッキングエラー信号とすべくなしてあることを特徴とする光記録媒体ドライブ装置。
【請求項３】
前記切換回路は、前記２つのピークホールド回路の出力信号の差信号に基づく信号の絶対値を出力する絶対値回路と、前記２つのボトムホールド回路の出力信号の差信号に基づく信号の絶対値を出力する絶対値回路と、該両絶対値回路が出力した各絶対値の大きさを比較し、大きい方を選択する比較回路とを備え、該比較回路が選択した方の信号を出力する請求項２記載の光記録媒体ドライブ装置。
【請求項４】
ランド部と該ランド部間に設けられたグルーブ部とで形成されるトラックのそれぞれに情報が記録可能である光記録媒体の前記トラックへの照射光に基づいて前記光記録媒体の記録及び／又は再生を行う光記録媒体ドライブ装置において、
前記照射光の位置を検出する為の検出信号を、トラックの半径方向に２分割する２分割検出器が出力した各検出信号の差信号をピークホールドして出力するピークホールド回路と、前記差信号をボトムホールドして出力するボトムホールド回路と、前記ピークホールド回路及びボトムホールド回路の出力信号を切り換え出力する切換回路とを備え、該切換回路が出力した信号をトラッキングエラー信号とすべくなしてあることを特徴とする光記録媒体ドライブ装置。
【請求項５】
前記切換回路は、前記ピークホールド回路の出力信号の絶対値を出力する絶対値回路と、前記ボトムホールド回路の出力信号の絶対値を出力する絶対値回路と、該両絶対値回路が出力した各絶対値の大きさを比較し、大きい方を選択する比較回路とを備え、該比較回路が選択した方の信号を出力する請求項４記載の光記録媒体ドライブ装置。
【発明の詳細な説明】
【０００１】
【発明の属する技術分野】
本発明は、隣接するトラックの高さを変えることで高密度記録を可能にしたランド／グルーブ記録方式の光記録媒体ドライブ装置に関するものである。
【０００２】
【従来の技術】
近年、コンピュータの高性能化に伴い、大容量メモリの需要が高まり、光ディスク、光磁気ディスクが商品化されている。しかし、今後のマルチメディア時代へ向けて、さらなる大容量化が要求されている。
例えば、現在、ＤＶＤ−ＲＯＭ（Digital Video Disc-ROM）が実用化され、その容量に相当する書き換え可能な光記録媒体が必要とされている。ＤＶＤ−ＲＯＭ相当の記憶容量を達成する為の技術の１つがランド／グルーブ記録方式を使用した光ディスクである。
【０００３】
書換え可能な光ディスクには、従来、ランド記録方式又はグルーブ記録方式が採用されていた。しかし、現在、より高密度の記録を得ることができるランド／グルーブ記録方式へ移行しつつある。
記憶容量が６４０ＭＢ迄はランド記録方式であり、シーク時におけるトラックカウントは、トラックを横切る時に生じるクロストラック信号によって実行されていた。しかし、ランド／グルーブ記録方式では、クロストラック信号が０となる為使用することができない。
【０００４】
そこで、ランド／グルーブ記録方式では、トラックカウントはトラッキングエラー信号（ＴＥＳ）によって実行することが考えられる。また、ランド／グルーブ記録方式の記録用パターンのＩＤ用プリピットが浅くなる為、十分な信号強度を得ることができるように、ピットを大きくする必要がある。しかし、ピットを大きくすると、ＩＤ部でのトラッキングエラー信号が小さくなり、トラックカウントにおいて計数ミスが発生する。
【０００５】
図５は、ランド／グルーブ記録方式の光ディスクを使用して記録及び／又は再生する従来の光記録媒体ドライブ装置の構成例を示すブロック図である。この光記録媒体ドライブ装置は、トラッキングエラー信号の検出部を中心に簡略に示したものであり、レーザ１１１から出力された光は、ビーム整形器で平行な真円ビームに整形された後、ビームスプリッタ１１２を通過し、立ち上げミラー１１３で光路を曲げられ、対物レンズ１１４で集光されて、ディスク１１０の表面に照射される。
ディスク１１０表面のグルーブによって回折された光は、再度、対物レンズ１１４を通過し、ビームスプリッタ１１２で反射されて光路を曲げられ、ディスクの半径方向に２分割された２分割検出器１１５に入力される。２分割検出器１１５は、２分割され入力された光をそれぞれ電流信号に変換し、それぞれ、電流／電圧変換回路１１６，１１７に入力する。
【０００６】
電流／電圧変換回路１１６，１１７は、それぞれ、入力された電流信号を電圧信号に変換し出力する。
電流／電圧変換回路１１６，１１７からそれぞれ出力された電圧信号は、増幅器１１８，１１９で増幅され、差動増幅器１２２で差信号が作成され、この差信号がトラッキングエラー信号として出力される。このトラッキングエラー信号に基づき、対物レンズ１１４にオートトラッキングが掛けられ、また、シークされる。
【０００７】
図２は、ランド／グルーブ記録方式の光ディスクのＩＤ部の構成例を示す平面図であり、ハッチング部分は凹状に形成された部分である。
この光ディスクは、ランド部１０２とランド部１０２間に設けられたグルーブ部１０１とで形成されるトラックそれぞれに情報が記録可能である。隣接するランド部１０２及びグルーブ部１０１それぞれのプリフォーマット情報に対応するプリピット１０４，１０３の列が、円周方向にずらして形成されている。
ランド部１０２用のプリピット１０４の列の両脇にトラック計数のための計数用グルーブ１０６が形成され、グルーブ部１０１用のプリピット１０３の列を貫く貫設グルーブ１０５が形成されている。
【０００８】
このような光ディスクから、図５に示した光記録媒体ドライブ装置によりシーク時のトラッキングエラー信号を作成した場合、図６に示すように、ＩＤ部のＴＥＳ２０２（点線は、ＩＤ部ではなく記録領域で得られるトラッキングエラー信号の大きさを示す）では、記録領域でのトラッキングエラー信号に較べて貫設グルーブ１０５、プリピット１０４による落ち込みが大きくなり、また、レーザ１１１及び対物レンズ１１４等で構成される光学ヘッドの移動速度が遅いときは、貫設グルーブ１０５、プリピット１０４を多数走査することになり、トラックカウントの計数ミスが発生する問題があった。
【０００９】
ところで、記憶容量が６４０ＭＢのランド記録方式の光ディスクでも、クロストラック信号によって実行されるシーク時のトラックカウントにおいて、ＩＤ部ではプリピットによる落ち込みが発生するが、クロストラック信号をピークホールドすることにより、その落ち込み分を回復させることができる。
【００１０】
【発明が解決しようとする課題】
しかし、ランド／グルーブ記録方式によるトラッキングエラー信号をピークホールドした場合は、図６に示すＩＤ部の最大値をつないだ包絡線となるため、ＩＤ部すべてを回復させることは出来なかった。
本発明は、上述したような事情に鑑みてなされたものであり、正確なトラックカウントに必要なトラッキングエラー信号を得ることができる光記録媒体ドライブ装置を提供することを目的とする。
【００１１】
【課題を解決するための手段】
第１発明に係る光記録媒体ドライブ装置は、ランド部と該ランド部間に設けられたグルーブ部とで形成されるトラックのそれぞれに情報が記録可能である光記録媒体の前記トラックへの照射光に基づいて前記光記録媒体の記録及び／又は再生を行う光記録媒体ドライブ装置において、前記照射光の位置を検出する検出器と、該検出器が出力した位置検出信号をピークホールドして出力するピークホールド回路と、前記位置検出信号をボトムホールドして出力するボトムホールド回路と、前記ピークホールド回路及びボトムホールド回路の出力信号に基づく信号を切り換え出力する切換回路とを備え、該切換回路は、前記ピークホールド回路の出力信号に基づく信号の絶対値を出力する絶対値回路と、前記ボトムホールド回路の出力信号に基づく信号の絶対値を出力する絶対値回路と、該両絶対値回路が出力した各絶対値の大きさを比較し、大きい方を選択する比較回路とを備え、該比較回路が選択した方の信号を出力し、出力された該信号をトラッキングエラー信号とすべくなしてあることを特徴とする。
【００１２】
この光記録媒体ドライブ装置では、ピークホールド回路が、検出器が出力した位置検出信号をピークホールドして出力し、ボトムホールド回路が、検出器が出力した位置検出信号をボトムホールドして出力する。そして、切換回路は、ピークホールド回路の出力信号に基づく信号及びボトムホールド回路の出力信号に基づく信号を切り換え出力する。切換回路は、２つの絶対値回路が、ピークホールド回路の出力信号に基づく信号の絶対値とボトムホールド回路の出力信号に基づく信号の絶対値とをそれぞれ出力し、比較回路が、両絶対値回路が出力した各絶対値の大きさを比較し、その大きい方がピークホールド回路の出力であるかボトムホールド回路の出力であるかを示し、スイッチング回路がその大きい方の信号を出力させ、トラッキングエラー信号とする。これにより、正確なトラックカウントに必要なトラッキングエラー信号を得ることができる。
【００１５】
ピークホールド回路の出力信号に基づく信号は、図３（ａ）に示すように、ランド部のＩＤ部４０３のプリピットによる落ち込みを回復させた信号となり、ボトムホールド回路の出力信号に基づく信号は、図３（ｂ）に示すように、グルーブ部のＩＤ部４０５のプリピット部による落ち込みを回復させた信号となる。従って、ランド部のＩＤ部４０３ではピークホールド回路の出力信号に基づく信号の振幅の方が大きくなり、グルーブ部のＩＤ部４０５ではボトムホールド回路の出力信号に基づく信号の振幅の方が大きくなり、何れか大きい方を選択すれば、落ち込みを回復させた信号を選択することになるので、正確なトラックカウントに必要なトラッキングエラー信号を得ることができる。
【００１６】
第２発明に係る光記録媒体ドライブ装置は、ランド部と該ランド部間に設けられたグルーブ部とで形成されるトラックのそれぞれに情報が記録可能である光記録媒体の前記トラックへの照射光に基づいて前記光記録媒体の記録及び／又は再生を行う光記録媒体ドライブ装置において、前記照射光の位置を検出する為の検出信号を、トラックの半径方向に２分割する２分割検出器が出力した各検出信号をそれぞれピークホールドして出力する２つのピークホールド回路と、前記各検出信号をそれぞれボトムホールドして出力する２つのボトムホールド回路と、前記２つのピークホールド回路及び２つのボトムホールド回路の出力信号に基づく信号を切り換え出力する切換回路とを備え、該切換回路が出力した信号をトラッキングエラー信号とすべくなしてあることを特徴とする。
【００１７】
この光記録媒体ドライブ装置では、２つのピークホールド回路が、照射光の位置を検出する為の検出信号を、トラックの半径方向に２分割すべき２分割検出器が出力した各検出信号をそれぞれピークホールドして出力し、ボトムホールド回路が、２分割検出器が出力した各検出信号をそれぞれボトムホールドして出力する。切換回路は、２つのピークホールド回路及び２つのボトムホールド回路の出力信号に基づく信号を切り換え出力し、トラッキングエラー信号とする。これにより、正確なトラックカウントに必要なトラッキングエラー信号を得ることができる。
【００１８】
第３発明に係る光記録媒体ドライブ装置は、前記切換回路は、前記２つのピークホールド回路の出力信号の差信号に基づく信号の絶対値を出力する絶対値回路と、前記２つのボトムホールド回路の出力信号の差信号に基づく信号の絶対値を出力する絶対値回路と、該両絶対値回路が出力した各絶対値の大きさを比較し、大きい方を選択する比較回路とを備え、該比較回路が選択した方の信号を出力することを特徴とする。
【００１９】
この光記録媒体ドライブ装置では、切換回路は、２つの絶対値回路がそれぞれ、２つのピークホールド回路の出力信号の差信号に基づく信号の絶対値を出力し、２つのボトムホールド回路の出力信号の差信号に基づく信号の絶対値を出力する。そして、比較回路は、両絶対値回路が出力した各絶対値の大きさを比較し、その大きい方を選択して、選択した方の信号を出力する。
【００２０】
ピークホールド回路の出力信号は、図３（ａ）に示すように、ランド部のＩＤ部４０３のプリピットによる落ち込みを回復させた信号となり、ボトムホールド回路の出力信号は、図３（ｂ）に示すように、グルーブ部のＩＤ部４０５のプリピットによる落ち込みを回復させた信号となる。従って、ランド部のＩＤ部４０３ではピークホールド回路の出力信号の振幅の方が大きくなり、グルーブ部のＩＤ部４０５ではボトムホールド回路の出力信号の振幅の方が大きくなり、何れか大きい方を選択すれば、落ち込みを回復させた信号を選択することになるので、正確なトラックカウントに必要なトラッキングエラー信号を得ることができる。
【００２１】
第４発明に係る光記録媒体ドライブ装置は、ランド部と該ランド部間に設けられたグルーブ部とで形成されるトラックのそれぞれに情報が記録可能である光記録媒体の前記トラックへの照射光に基づいて前記光記録媒体の記録及び／又は再生を行う光記録媒体ドライブ装置において、前記照射光の位置を検出する為の検出信号を、トラックの半径方向に２分割する２分割検出器が出力した各検出信号の差信号をピークホールドして出力するピークホールド回路と、前記差信号をボトムホールドして出力するボトムホールド回路と、前記ピークホールド回路及びボトムホールド回路の出力信号を切り換え出力する切換回路とを備え、該切換回路が出力した信号をトラッキングエラー信号とすべくなしてあることを特徴とする。
【００２２】
この光記録媒体ドライブ装置では、ピークホールド回路が、照射光の位置を検出する為の検出信号を、トラックの半径方向に２分割する２分割検出器が出力した各検出信号の差信号をピークホールドして出力し、ボトムホールド回路が、２分割検出器が出力した各検出信号の差信号をボトムホールドして出力する。切換回路が、ピークホールド回路及びボトムホールド回路の出力信号を切り換え出力し、切換回路が出力した信号をトラッキングエラー信号とする。
これにより、正確なトラックカウントに必要なトラッキングエラー信号を得ることができる。
【００２３】
第５発明に係る光記録媒体ドライブ装置は、前記切換回路は、前記ピークホールド回路の出力信号の絶対値を出力する絶対値回路と、前記ボトムホールド回路の出力信号の絶対値を出力する絶対値回路と、該両絶対値回路が出力した各絶対値の大きさを比較し、大きい方を選択する比較回路とを備え、該比較回路が選択した方の信号を出力することを特徴とする。
【００２４】
この光記録媒体ドライブ装置では、切換回路は、２つの絶対値回路がそれぞれ、ピークホールド回路の出力信号の絶対値を出力し、ボトムホールド回路の出力信号の絶対値を出力する。比較回路が、両絶対値回路が出力した各絶対値の大きさを比較し、大きい方を選択し、比較回路が選択した方の信号を出力する。
これにより、正確なトラックカウントに必要なトラッキングエラー信号を得ることができる。
【００２５】
【発明の実施の形態】
以下に、本発明をその実施の形態を示す図面に基づき説明する。
実施の形態１．
図１は、本発明に係る光記録媒体ドライブ装置の実施の形態１の構成例を示すブロック図である。このドライブ装置（光記録媒体ドライブ装置）は、トラッキングエラー信号（ＴＥＳ）の検出部１２０を中心に簡略に示したものであり、レーザ１１１から出力された光は、ビーム整形器で平行な真円ビームに整形された後、ビームスプリッタ１１２を通過し、立ち上げミラー１１３で光路を曲げられ、対物レンズ１１４で集光されて、光記録媒体であるディスク１１０の表面に照射される。
【００２６】
ディスク１１０表面のグルーブによって回折された光は、再度、対物レンズ１１４を通過し、ビームスプリッタ１１２で反射されて光路を曲げられ、ディスクの半径方向に２分割された２分割検出器１１５に入力される。２分割検出器１１５は、２分割され入力された光をそれぞれ電流信号に変換し、それぞれ、電流／電圧変換回路１１６，１１７に入力する。
【００２７】
電流／電圧変換回路１１６，１１７は、それぞれ、入力された電流信号を電圧信号に変換し出力する。
電流／電圧変換回路１１６，１１７からそれぞれ出力された電圧信号は、増幅器１１８，１１９で増幅される。増幅器１１８で増幅された電圧信号は、ピークホールド回路３１１及びボトムホールド回路３１２に与えられ、それぞれピークホールド及びボトムホールドされ出力される。増幅器１１９で増幅された電圧信号は、ピークホールド回路３１１ａ及びボトムホールド回路３１２ａに与えられ、それぞれピークホールド及びボトムホールドされ出力される。
【００２８】
ピークホールド回路３１１，３１１ａによりそれぞれピークホールドされ出力された各電圧信号は、差動増幅器３１３に入力され、差動増幅器３１３はその差信号を出力し、スイッチング回路３１６（切換え回路）及び絶対値回路３１４に与える。
ボトムホールド回路３１２，３１２ａによりそれぞれボトムホールドされ出力された各電圧信号は、差動増幅器３１３ａに入力され、差動増幅器３１３ａはその差信号を出力し、スイッチング回路３１６及び絶対値回路３０８に与える。
【００２９】
絶対値回路３０８，３１４が出力した各絶対値は、比較回路３１５に与えられる。比較回路３１５の比較結果はスイッチング回路３１６に与えられ、スイッチング回路３１６は、比較回路３１５の比較結果の大きい方の、差動増幅器３１３，３１３ａが出力した差信号をトラッキングエラー信号として出力する。このトラッキングエラー信号に基づき、対物レンズ１１４にオートトラッキングが掛けられ、また、シークされる。
【００３０】
図２は、ランド／グルーブ記録方式の光ディスクのＩＤ部の構成例を示す平面図であり、ハッチング部分は凹状に形成された部分である。
この光ディスクは、ランド部１０２とランド部１０２間に設けられたグルーブ部１０１とで形成されるトラックそれぞれに情報が記録可能である。隣接するランド部１０２及びグルーブ部１０１それぞれのプリフォーマット情報に対応するプリピット１０４，１０３の列が、円周方向にずらして形成されている。
ランド部１０２用のプリピット１０４の列の両脇にトラック計数のための計数用グルーブ１０６が形成され、グルーブ部１０１用のプリピット１０３の列を貫く貫設グルーブ１０５が形成されている。
【００３１】
このような光ディスクから、図１に示したドライブ装置によりシーク時のトラッキングエラー信号を作成した場合、ピークホールド回路３１１，３１１ａの出力信号に基づく信号である、差動増幅器３１３が出力した差信号は、図３（ａ）に示すように、ランド部のＩＤ部のプリピット１０４による落ち込みを回復させた信号４０３となる（但し、グルーブ部のＩＤ部の貫設グルーブ１０５による落ち込み４０２は回復できない）。
ボトムホールド回路３１２，３１２ａの出力信号に基づく信号である、差動増幅器３１３ａが出力した差信号は、図３（ｂ）に示すように、グルーブ部のＩＤ部の貫設グルーブ１０５による落ち込みを回復させた信号４０５となる（但し、ランド部のＩＤ部のプリピット１０４による落ち込み４０６は回復できない）。
【００３２】
従って、比較回路３１５の比較結果は、ランド部のＩＤ部による信号４０３，４０６ではピークホールド回路３１１，３１１ａの出力信号に基づく信号の振幅の方（４０３）が大きくなり、グルーブ部のＩＤ部による信号４０２，４０５ではボトムホールド回路３１２，３１２ａの出力信号に基づく信号の振幅の方（４０５）が大きくなり、スイッチング回路３１５が何れか大きい方を選択すれば、落ち込みを回復させた信号を選択することになるので、正確なトラックカウントに必要なトラッキングエラー信号を得ることができる。
【００３３】
実施の形態２．
図４は、本発明に係る光記録媒体ドライブ装置の実施の形態２の構成例を示すブロック図である。このドライブ装置（光記録媒体ドライブ装置）は、電流／電圧変換回路１１６，１１７からそれぞれ出力された電圧信号が、増幅器１１８，１１９で増幅される。増幅器１１８，１１９で増幅された各電圧信号は、差動増幅器５０８に入力され、差動増幅器５０８はその差信号を出力し、ピークホールド回路５０９及びボトムホールド回路５１０に与える。
【００３４】
ピークホールド回路５０９によりピークホールドされ出力された電圧信号は、スイッチング回路５１３（切換え回路）及び絶対値回路５１１に与えられる。
ボトムホールド回路５１０によりボトムホールドされ出力された電圧信号は、スイッチング回路５１３及び絶対値回路５０５に与えられる。
【００３５】
絶対値回路５０５，５１１が出力した各絶対値は、比較回路５１２に与えられる。比較回路５１２の比較結果はスイッチング回路５１３に与えられ、スイッチング回路５１３は、比較回路５１２の比較結果の大きい方の、ピークホールド回路５０９又はボトムホールド回路５１０が出力した電圧信号をトラッキングエラー信号として出力する。このトラッキングエラー信号に基づき、対物レンズ１１４にオートトラッキングが掛けられ、また、シークされる。その他の構成は、上述した図１のドライブ装置と同様であるので、説明を省略する。
【００３６】
このような構成のドライブ装置により、図２に示した光ディスクからシーク時のトラッキングエラー信号を作成した場合、ピークホールド回路５０９の出力信号は、図３（ａ）に示すように、ランド部のＩＤ部のプリピット１０４による落ち込みを回復させた信号４０３となる（但し、グルーブ部のＩＤ部の貫設グルーブ１０５による落ち込み４０２は回復できない）。
ボトムホールド回路５１０の出力信号は、図３（ｂ）に示すように、グルーブ部のＩＤ部の貫設グルーブ１０５による落ち込みを回復させた信号４０５となる（但し、ランド部のＩＤ部のプリピット１０４による落ち込み４０６は回復できない）。
【００３７】
従って、比較回路５１２の比較結果は、ランド部のＩＤ部による信号４０３，４０６ではピークホールド回路の出力信号の振幅の方（４０３）が大きくなり、グルーブ部のＩＤ部による信号４０２，４０５ではボトムホールド回路の出力信号の振幅の方（４０５）が大きくなり、スイッチング回路５１２が何れか大きい方を選択すれば、落ち込みを回復させた信号を選択することになるので、正確なトラックカウントに必要なトラッキングエラー信号を得ることができる。
【００４４】
【発明の効果】
本発明に係る光記録媒体ドライブ装置によれば、正確なトラックカウントに必要なトラッキングエラー信号を得ることができる。
【図面の簡単な説明】
【図１】  本発明に係る光記録媒体ドライブ装置の構成例を示すブロック図である。
【図２】  光ディスクのＩＤ部を説明する為の説明図である。
【図３】  本発明に係る光記録媒体ドライブ装置の動作を示す波形図である。
【図４】  本発明に係る光記録媒体ドライブ装置の構成例を示すブロック図である。
【図５】  従来の光記録媒体ドライブ装置の構成を示すブロック図である。
【図６】  従来の光記録媒体ドライブ装置の動作を示す波形図である。
【符号の説明】
１０１  グルーブ部
１０２  ランド部
１０３  グルーブ部のプリピット
１０３  ランド部のプリピット
１１０  ディスク（光ディスク、光記録媒体）
１１５  検出器（２分割検出器）
１１６，１１７  電流／電圧変換回路
３１１，３１１ａ，５０９  ピークホールド回路（ピークホールド）
３１２，３１２ａ，５１０  ボトムホールド回路（ボトムホールド）
３１３，３１３ａ，５０８  差動増幅器
３０８，３１４，５０５，５１１  絶対値回路（切換回路）
３１５，５１２  比較回路（切換回路）
３１６，５１３  スイッチング回路（切換回路）
【図１】
0003753517.tif 000002
【図２】
0003753517.tif 000003
【図３】
0003753517.tif 000004
【図４】
0003753517.tif 000005
【図５】
0003753517.tif 000006
【図６】
0003753517.tif 000007